(57)【要約】【課題】  引出し式食器洗い機では、洗浄庫を前方に引き出す際に上蓋が円滑に上方に退避し、且つ確実に上方の空間で保持され、また、洗浄庫を筐体に押し入れる際には、上蓋が円滑に下降して、洗浄庫の上面開口を高い水密性を有して閉塞することが望まれている。【解決手段】  洗浄庫２が前方に引き出された状態では、上蓋１０は、引張りコイルばね２２の付勢力により、筐体１内の上部空間に位置し、また前記洗浄庫２を前記筐体１内に押し入れると、前記洗浄庫２がレール５に沿って後方に移動して前記洗浄庫２が前記上蓋１０を後方へ押圧し、前記ローラ２４が、案内枠２３に沿って斜め下方に降下することで、前記上蓋１０は、前記洗浄庫２の上面開口３を閉塞する構成である。【選択図】        図３
2005279290.tif 000002
【特許請求の範囲】
【請求項１】
前面が開口した筐体と、該筐体の両側壁内側に設置されたレールと、前記筐体から前方に前記レールに沿って引き出し自在であって上面開口を有する洗浄庫と、該洗浄庫の上面開口を閉塞するための上蓋と、該上蓋の側面に突設した突起と、前記筐体の両側面内側にそれぞれ設けられ、前記上蓋の突起が斜めに往復動する案内枠と、前記上蓋を斜め上方向に付勢する引張ばねと、を備え、
前記洗浄庫が前方に引き出された状態では、前記上蓋は、前記引張りばねの付勢力により、前記筐体内の上部空間に位置し、また前記洗浄庫を前記筐体内に押し入れると、前記洗浄庫が前記レールに沿って後方に移動して前記洗浄庫が前記上蓋を後方へ押圧し、前記上蓋の突起が、前記案内枠に沿って斜め下方に降下することで、前記上蓋は、前記洗浄庫の上面開口を閉塞することを特徴とする食器洗い機。
【請求項２】
前面が開口した筐体と、前記筐体から前方に引き出し自在であって上面開口を有する洗浄庫と、該洗浄庫の上面開口を閉塞するための上蓋と、該上蓋の側面に突設した突起と、前記筐体の両側面内側にそれぞれ設けられ、内部を前記上蓋の突起が移動可能な案内枠と、前記上蓋を上方向又は斜め上方向に付勢する引張ばねと、を備え、
前記洗浄庫が前方に引き出された状態では、前記上蓋は、前記引張りばねの付勢力により、前記筐体内の上部空間に位置し、また前記洗浄庫を前記筐体内に押し入れると、前記洗浄庫が後方に移動して前記洗浄庫が前記上蓋を後方へ押圧し、前記上蓋の突起が、前記案内枠に沿って下方に降下することで、前記上蓋は、前記洗浄庫の上面開口を閉塞することを特徴とする食器洗い機。
【請求項３】
前面が開口した筐体と、該筐体から前方に引き出し自在であって上面開口を有する洗浄庫と、該洗浄庫の上面開口を閉塞するための上蓋と、前記上蓋を上方向又は斜め前上方向に付勢する付勢手段と、前記上蓋から外側に突出した突起と、前記筐体の両側面内側にそれぞれ設けられ、前記突起を案内する案内路が前方が後方よりも高い傾斜状に形成された案内手段と、前記上蓋にあって、前記洗浄庫が筐体内に押し込まれる際に前記洗浄庫の一部に当接して該上蓋を後方へ押圧する係合手段と、を備え、
前記洗浄庫が前記筐体内に押し込まれる際に、前記洗浄庫と前記係合手段の当接により前記上蓋を前記付勢手段による付勢力に抗して斜め後下方に押し下げて前記洗浄庫の上面開口を閉塞し、前記洗浄庫を前記筐体内から引き出す際には、前記付勢手段による付勢力により前記上蓋を斜め前上方へ持ち上げて所定の退避位置に保持することを特徴とする食器洗い機。
【請求項４】
前面が開口した筐体と、該筐体から前方に引き出し自在であって上面開口を有する洗浄庫と、前記筐体内にあって前記洗浄庫の上部空間に設けられ、前記洗浄庫の上面開口を閉塞するための上蓋と、該上蓋から突設した突起と、前記上蓋を前記洗浄庫の上面開口を閉塞可能な位置とその上方の退避位置との間で上下動自在とすべく前記突起を移動可能とした案内枠と、を備え、
前記上蓋は、前記洗浄庫が引き出された際に前記退避位置に位置し、また前記洗浄庫の押入れ動作に連動して前記案内枠に沿って前記退避位置から降下し、前記洗浄庫の上面開口を閉塞することを特徴とする食器洗い機。
【請求項５】
前記突起は、回転自在のローラであることを特徴とする請求項から請求項４のいずれか１つに記載の食器洗い機。
【請求項６】
前面が開口した筐体と、該筐体から前方に引き出し自在であって上面開口を有する洗浄庫と、該洗浄庫の上面開口を閉塞するための上蓋と、前記筐体内上部空間で前記上蓋を上下動自在に案内する案内手段と、前記上蓋を上方向に付勢する付勢手段と、前記洗浄庫に設けられた第１係合手段と、前記上蓋に設けられた第２係合手段と、を備え、
前記洗浄庫が筐体内に押し込まれる際に、前記第１及び第２係合手段の係合により前記洗浄庫が前記上蓋を降下させて前記洗浄庫の上面開口を閉塞し、また前記洗浄庫を前記筐体内から引き出す際には、前記第１及び第２係合手段の係合が解除されて、前記付勢手段が前記上蓋を上昇させることを特徴とする食器洗い機。
【発明の詳細な説明】
【技術分野】
【０００１】
本発明は食器洗い機に関し、更に詳しくは、ビルトインタイプに好適な食器洗い機に関する。
【背景技術】
【０００２】
家庭用の食器洗い機は、一般に、洗浄庫内に水道水を導入してその底部に貯留し、そのあとポンプを作動させて貯留した水を吸引してノズルへ送給し、ノズルから勢いよく水を噴射させて洗浄庫内に収容した食器類を洗浄するという構成を有している。従来のこの種の食器洗い機は、筐体の内部に洗浄庫が配設され、筐体の前面には手前下方に回動するドアが設けられ、ドアを開いた状態で洗浄庫内から食器籠を水平前方に引き出す構造となっている。
【０００３】
近年、システムキッチンの普及に伴い、システムキッチンに組み込むためのビルトインタイプの食器洗い機が市販されている。この種の食器洗い機はいわゆる引出し方式の食器洗い機であって、食器を収納するための食器籠を内装する洗浄庫が前面板を兼ねるドアとともに前方に引出し可能に構成されている。洗浄庫を引き出した状態では洗浄庫の上面が広く開口していて上から食器類を出し入れできるようになっており、洗浄庫を筐体に押し入れると筐体内の上部空間に待機していた上蓋が降下して洗浄庫の上面開口を閉塞する構造を有している。（特許文献１参照）
【特許文献１】、特開２０００−１３９７９９号公報
【発明の開示】
【発明が解決しようとする課題】
【０００４】
このような引出し式食器洗い機では、洗浄庫を前方に引き出す際に上蓋が円滑に上方に退避し、且つ確実に上方の空間で保持されている必要がある。また、洗浄庫を筐体に押し入れる際には、上蓋が円滑に下降して洗浄庫の上縁部に密着し、その密着箇所の水封性が高いことが望まれる。
【０００５】
本発明はこのような点に鑑みて成されたものであり、その目的とするところは、引出し式の食器洗い機において、洗浄庫の引出し及び押入れ動作に必要以上の力を要することなくスムーズに開閉が行える食器洗い機を提供することにある。また、本発明の他の目的とするところは、洗浄庫を筐体に収納したときに、上蓋が洗浄庫の上面開口を確実に高い水密性をもって閉塞することにより、洗浄運転時にも庫外への水漏れの発生のない食器洗い機を提供することにある。
【課題を解決するための手段】
【０００６】
上記課題を解決するために成された第１発明は、前面が開口した筐体と、該筐体の両側壁内側に設置されたレールと、前記筐体から前方に前記レールに沿って引き出し自在であって上面開口を有する洗浄庫と、該洗浄庫の上面開口を閉塞するための上蓋と、該上蓋の側面に突設した突起と、前記筐体の両側面内側にそれぞれ設けられ、前記上蓋の突起が斜めに往復動する案内枠と、前記上蓋を斜め上方向に付勢する引張ばねと、を備え、前記洗浄庫が前方に引き出された状態では、前記上蓋は、前記引張りばねの付勢力により、前記筐体内の上部空間に位置し、また前記洗浄庫を前記筐体内に押し入れると、前記洗浄庫が前記レールに沿って後方に移動して前記洗浄庫が前記上蓋を後方へ押圧し、前記上蓋の突起が、前記案内枠に沿って斜め下方に降下することで、前記上蓋は、前記洗浄庫の上面開口を閉塞することを特徴としている。
【０００７】
上記課題を解決するために成された第２発明は、前面が開口した筐体と、前記筐体から前方に引き出し自在であって上面開口を有する洗浄庫と、該洗浄庫の上面開口を閉塞するための上蓋と、該上蓋の側面に突設した突起と、前記筐体の両側面内側にそれぞれ設けられ、内部を前記上蓋の突起が移動可能な案内枠と、前記上蓋を上方向又は斜め上方向に付勢する引張ばねと、を備え、前記洗浄庫が前方に引き出された状態では、前記上蓋は、前記引張りばねの付勢力により、前記筐体内の上部空間に位置し、また前記洗浄庫を前記筐体内に押し入れると、前記洗浄庫が後方に移動して前記洗浄庫が前記上蓋を後方へ押圧し、前記上蓋の突起が、前記案内枠に沿って下方に降下することで、前記上蓋は、前記洗浄庫の上面開口を閉塞することを特徴としている。
【０００８】
上記課題を解決するために成された第３発明は、前面が開口した筐体と、該筐体から前方に引き出し自在であって上面開口を有する洗浄庫と、該洗浄庫の上面開口を閉塞するための上蓋と、前記上蓋を上方向又は斜め前上方向に付勢する付勢手段と、前記上蓋から外側に突出した突起と、前記筐体の両側面内側にそれぞれ設けられ、前記突起を案内する案内路が前方が後方よりも高い傾斜状に形成された案内手段と、前記上蓋にあって、前記洗浄庫が筐体内に押し込まれる際に前記洗浄庫の一部に当接して該上蓋を後方へ押圧する係合手段と、を備え、前記洗浄庫が前記筐体内に押し込まれる際に、前記洗浄庫と前記係合手段の当接により前記上蓋を前記付勢手段による付勢力に抗して斜め後下方に押し下げて前記洗浄庫の上面開口を閉塞し、前記洗浄庫を前記筐体内から引き出す際には、前記付勢手段による付勢力により前記上蓋を斜め前上方へ持ち上げて所定の退避位置に保持することを特徴としている。
【０００９】
上記課題を解決するために成された第４発明は、前面が開口した筐体と、該筐体から前方に引き出し自在であって上面開口を有する洗浄庫と、前記筐体内にあって前記洗浄庫の上部空間に設けられ、前記洗浄庫の上面開口を閉塞するための上蓋と、該上蓋から突設した突起と、前記上蓋を前記洗浄庫の上面開口を閉塞可能な位置とその上方の退避位置との間で上下動自在とすべく前記突起を移動可能とした案内枠と、を備え、前記上蓋は、前記洗浄庫が引き出された際に前記退避位置に位置し、また前記洗浄庫の押入れ動作に連動して前記案内枠に沿って前記退避位置から降下し、前記洗浄庫の上面開口を閉塞することを特徴としている。
【００１０】
さらに、上記第１から第４発明に係る食器洗い機において、前記突起は、回転自在のローラであることを特徴としている。
【００１１】
また、上記課題を解決するために成された第５発明は、前面が開口した筐体と、該筐体から前方に引き出し自在であって上面開口を有する洗浄庫と、該洗浄庫の上面開口を閉塞するための上蓋と、前記筐体内上部空間で前記上蓋を上下動自在に案内する案内手段と、前記上蓋を上方向に付勢する付勢手段と、前記洗浄庫に設けられた第１係合手段と、前記上蓋に設けられた第２係合手段と、を備え、前記洗浄庫が筐体内に押し込まれる際に、前記第１及び第２係合手段の係合により前記洗浄庫が前記上蓋を降下させて前記洗浄庫の上面開口を閉塞し、また前記洗浄庫を前記筐体内から引き出す際には、前記第１及び第２係合手段の係合が解除されて、前記付勢手段が前記上蓋を上昇させることを特徴とする。
【発明の効果】
【００１２】
本発明によれば、上蓋と洗浄庫との水密性が確保できるとともに、洗浄庫の出し入れに連動して洗浄庫の上面開口を適切に開放又は閉塞することができる。
【００１３】
また、突起が案内路に沿って移動する際に両者の摩擦力が大きいと洗浄庫の円滑な出し入れを妨げるから、突起をローラとすることで、案内路に沿って円滑に移動し、洗浄庫の出し入れに大きな力を必要とせずにすむ。
【発明を実施するための最良の形態】
【００１４】
〔第１実施例〕
第１発明の一実施例である第１実施例による食器洗い機について図面を参照して説明する。図１及び図２は本実施例による食器洗い機の全体構成を示す概略側面断面図であり、図１は洗浄庫を筐体に収納した状態、図２は洗浄庫を筐体から引き出した状態を示している。
【００１５】
図１及び図２に基づいて、本食器洗い機の構成を説明する。前面が開口した筐体１の内部には上面開口３を有する洗浄庫２が配設され、洗浄庫２の内部には食器類を整列するための図示しない食器籠が設置されている。洗浄庫２は筐体１の前面開口を閉塞する前面板を兼ねたドア４と一体になっており、筐体１の両側壁内側に略水平に設置されたレール５に沿って前方に引き出し自在となっている。洗浄庫２の底部中央には、上面に複数のノズルが形成された回転自在のアーム６が設けられている。また、洗浄庫２の後壁面には図示しない給水バルブを備えた伸縮自在の給水管９が接続されており、給水バルブが開かれると外部の水道栓から供給された水が給水管９を通して洗浄庫２内に注がれる。洗浄庫２の底部には貯水槽７が連通して配設されるとともに、洗浄庫２の底面下方には洗浄兼排水ポンプ８が配置され、この洗浄兼排水ポンプ８が洗浄ポンプとして作動するとき、貯水槽７から吸引された水がアーム６へと送出され、ノズルから洗浄庫２内に噴射される。これにより、洗浄庫２内に収納された食器類に水が掛かり、汚れが落とされる。
【００１６】
筐体１内にあって洗浄庫２の上方空間には、洗浄庫２の上面開口３を閉塞するための上蓋１０が設けられている。この上蓋１０は洗浄庫２が筐体１内に収納された状態では洗浄庫２の上面開口３を高い水密性を有して閉塞し、洗浄庫２が前方に引き出される際にはその引出し動作の妨げとならないように迅速に上方へと退避し、所定位置に保持される。このような洗浄庫２の引出し・押入れ動作に連動した上蓋１０の上下方向の動作を行うために、本食器洗い機では特徴的な構成を利用している。この構成について以下に詳細に説明する。
【００１７】
上蓋１０の上面とこれに対面する筐体１の上壁１ａの下面との間には、引張コイルばね１２が張設され、これにより上蓋１０は略垂直上方に付勢されている。また、筐体１の上壁１ａの下面には垂直下方を指向して案内棒１３が突設され、一方、上蓋１０の上面には案内棒１３が遊嵌する案内筒部１４が突設されている。図１、図２では、引張コイルばね１２、案内棒１３及び案内筒部１４は前後の２組しか見えていないが、実際には上蓋１０を上から見たときの四隅近傍の位置にそれぞれ設けられている。
【００１８】
案内棒１３は案内筒部１４内を上下方向に移動可能であって、これにより上蓋１０の前後及び左右方向の移動が規制されている。案内棒１３の外径は案内筒部１４の内径よりも所定の余裕（遊び）をもって小さく形成されているため、上蓋１０は或る程度前後左右方向へも移動が可能である。これにより、上蓋１０が前後又は左右に横振れしても支障なく上下動する。また、上蓋１０が降下する際に洗浄庫２の上縁部に密着する瞬間、及び、上蓋１０が上昇する際に洗浄庫２の上縁部から離間する瞬間に、洗浄庫２の移動方向に応じて上蓋１０が同方向に微動することができる。そのため、上蓋１０の下面に装着されている後述のガスケット１０ａに無理な負荷が掛かりにくく、ガスケット１０ａの経時劣化を軽減することができる。なお、上蓋１０の遊びの範囲はガスケット１０ａが洗浄庫２の上縁部から外れることなく接触可能な範囲としておく。
【００１９】
洗浄庫２の両側壁２ａ外側（図１、図２では一方の側壁しか見えないが他の側壁も同様の構成を有する）の所定位置には、円柱形状でその中心軸を中心に回転自在のローラ１５が前後に設けられている。これに対し、上蓋１０の両側部から下方に延出して、前方に開放した所定形状の案内溝１６ａを形成したカム板１６が設けられている。このローラ１５が上記第１係合手段、カム板１６が第２係合手段であって、両者は、洗浄庫２が筐体１内に押し入れられる際に、上蓋１０を引張コイルばね１２の付勢力に抗して下方に押し下げる作用を有する。
【００２０】
上記構成を有する上蓋駆動機構による動作を説明する。図２に示すように洗浄庫２が前方に引き出された状態では、引張コイルばね１２の付勢力により上蓋１０は上方向に持ち上げられているが、案内棒１３の先端が案内筒部１４の穴の底に当接する位置で上蓋１０は停止されている。すなわち、案内棒１３及び案内筒部１４は上蓋１０の最高位置（退避位置）を決める位置規制手段としての作用も有する。このとき、ローラ１５とカム板１６の案内溝１６ａの開口部とは高さ方向にほぼ同一位置にある。この状態から使用者が洗浄庫２を筐体１内に押し入れると、洗浄庫２はレール５に沿って略水平に移動し、ローラ１５はカム板１６の案内溝１６ａの開口部に入り、更に案内溝１６ａのカーブに沿ってローラ１５が移動するに従い、ローラ１５はカム板１６を下方向へと押し、これにより上蓋１０は引張コイルばね１２の付勢力に抗して降下する。
【００２１】
洗浄庫２の水平方向の移動速度が一定であるとすると、カム板１６の案内溝１６ａの形状が上蓋１０の降下速度を左右する。図１、図２に示すように案内溝１６ａは後方側でその勾配が急になるような形状を有しているから、洗浄庫２が筐体１内の奥に達するときに上蓋１０の降下速度が速まって洗浄庫２の上縁部に当接し、図１に示すように洗浄庫２の上面開口３を閉塞する。上蓋１０の下面の周縁部には中空の弾性部材から成るガスケット１０ａが周設されており、上蓋１０が洗浄庫２の上面開口３を閉塞するとき、ガスケット１０ａは上蓋１０と洗浄庫２の上縁部との間で押し潰され、これにより高い水密性を確保することができる。
【００２２】
このように洗浄庫２が筐体１内に完全に収納された状態から使用者が洗浄庫２を前方に引き出すと、洗浄庫２の移動に伴いローラ１５はカム板１６の案内溝１６ａに沿って水平前方へ移動し、このときカム板１６はローラ１５から上方への力を受ける。これにより上蓋１０は上方に押し上げられる。そして、ローラ１５がカム板１６の案内溝１６ａから離脱すると、引張コイルばね１２の付勢力によって上蓋１０は急に上昇する。先の押入れ動作時とは逆に、案内溝１６ａの勾配によって、洗浄庫２が前方に動き始める際には上蓋１０は迅速に洗浄庫２から離間するので、上蓋１０との摩擦を殆ど受けることなく洗浄庫２は円滑に引き出される。
【００２３】
このようにして、洗浄庫２の引出し及び押入れ動作に連動して上蓋１０は円滑に上昇及び下降し、洗浄庫２が完全に引き出された状態では上蓋１０は筐体１内の上部空間に確実に保持され、洗浄庫２が完全に筐体１内に収納された状態では上蓋１０は洗浄庫２の上面開口３を高い水密性を有して閉塞する。
【００２４】
〔第２実施例〕
次に、第２発明の一実施例である第２実施例による食器洗い機について図面を参照して説明する。図３及び図４は本実施例による食器洗い機の全体構成を示す概略側面断面図であり、図３は洗浄庫を筐体に収納した状態、図４は洗浄庫を筐体から引き出した状態を示している。なお、上記第１実施例による食器洗い機と同一又は相当する構成には同一符号を付して説明を省略する。
【００２５】
この第２実施例による食器洗い機では、上蓋１０の上面とこれに対面する筐体１の上壁１ａの下面との間には、引張コイルばね２２が傾斜して張設され、これにより上蓋１０は斜め上方向に付勢されている。筐体１の両側壁の内側には下方が開口した案内枠２３が傾斜して設けられ、一方、上蓋１０の側面には上記案内枠２３の内部を移動可能な回転自在のローラ２４が突設されている。更に、上蓋１０の下面後方には突部２５が形成されている。なお、図３、図４では、引張コイルばね２２、案内枠２３及びローラ２４は前後の２組しか見えていないが、実際には両側面にそれぞれ設けられている。
【００２６】
上蓋１０はローラ２４が案内枠２３の内部を斜め直線状に往復動する範囲で斜め直線状に移動可能であって、外部から力を受けないときには引張コイルばね２２の付勢力により、ローラ２４は案内枠２３の上端部に位置している。すなわち、これが図４に示すように洗浄庫２が前方に引き出された状態である。このとき、上蓋１０の突部２５の下端は洗浄庫２の上縁部の後端リブ２ｂよりも下に位置している。この状態から使用者が洗浄庫２を筐体１内に押し入れると、洗浄庫２はレール５に沿って略水平後方に移動し、洗浄庫２の後端リブ２ｂが上蓋１０の突部２５に当接し、これを後方へ押圧する。すると、ローラ２４は引張コイルばね２２の付勢力に抗して、案内枠２３に沿って斜め下方に降下する。そして、上蓋１０は洗浄庫２の上縁部に当接し、図３に示すように洗浄庫２の上面開口３を閉塞する。
【００２７】
なお、案内枠２３は下方が開口しているため、組立時にこの開口からローラ２４を入れることができ、組立の手間が省ける。しかし、機能的にはこの開口は閉塞していても構わない。
【００２８】
このようにして、洗浄庫２の引出し及び押入れ動作に連動して上蓋１０は円滑に上昇及び下降し、洗浄庫２が完全に引き出された状態では上蓋１０は筐体１内の上部空間に確実に保持され、洗浄庫２が完全に筐体１内に収納された状態では上蓋１０は洗浄庫２の上面開口３を高い水密性を有して閉塞する。
【００２９】
〔第３実施例〕
次に、第３発明の一実施例である第３実施例による食器洗い機について図面を参照して説明する。図５及び図６は本実施例による食器洗い機の全体構成を示す概略側面断面図であり、図５は洗浄庫を筐体に収納した状態、図６は洗浄庫を筐体から引き出した状態を示している。なお、上記第１実施例による食器洗い機と同一又は相当する構成には同一符号を付して説明を省略する。
【００３０】
この第３実施例による食器洗い機では、上蓋１０の上面とこれに対面する筐体１の上壁１ａの下面との間には、引張コイルばね５２が張設され、これにより上蓋１０は上方向に付勢されている。また、前後１組の平行リンク５３が、筐体１の側壁内側に設けられた軸５５で一端が軸支され、他端が上蓋１０の側面に設けられた軸５４で軸支されている。更に、洗浄庫２の両側壁２ａの前後には円柱状の押圧部５６が突設されており、上蓋１０の両側面にあって平行リンク５３の軸５４の近傍には、下方に延出して被押圧片５７が設けられている。なお、図５、６では、平行リンク５３や押圧部５６及び被押圧片５７は前後の２組のみが見えているが、反対側の側面にも同様に設けられている。
【００３１】
図６に示すように洗浄庫２が前方に引き出された状態では、引張コイルばね５２の付勢力により上蓋１０は上斜め前方向に持ち上げられている。このとき、押圧部５６は被押圧片５７の下端よりも上に位置している。この状態から使用者が洗浄庫２を筐体１内に押し入れると、洗浄庫２はレール５に沿って略水平に移動し、前後及び左右両側の４個の押圧部５６は同じく４個の被押圧片５７にほぼ同時に当接してこれを押す。すると、上蓋１０は、引張コイルばね５２の付勢力に抗して平行リンク５３の動作により円弧を描きながら斜め下方へと降下し、洗浄庫２が筐体１内に完全に収納された状態では、上蓋１０は図５に示すように洗浄庫２の上面開口３を閉塞する。前後左右の４箇所でほぼ同時に被押圧片５７を押し込むことによって、上蓋１０はほぼ水平状態を維持したまま降下し、全周にほぼ均等な高い水密性を得ることができる。
【００３２】
このように洗浄庫２が筐体１内に完全に収納された状態から使用者が洗浄庫２を前方に引き出すと、押圧部５６による被押圧片５７の押圧が解除されるから、引張コイルばね５２の付勢力によって上蓋１０が平行リンク５３により持ち上がる。
【００３３】
このようにして、洗浄庫２の引出し及び押入れ動作に連動して上蓋１０は円滑に上昇及び下降し、洗浄庫２が完全に引き出された状態では上蓋１０は筐体１内の上部空間に確実に保持され、洗浄庫２が完全に筐体１内に収納された状態では上蓋１０は洗浄庫２の上面開口３を高い水密性を有して閉塞する。
【００３４】
〔第４実施例〕
次に、第４発明の一実施例である第４実施例による食器洗い機について図面を参照して説明する。図７及び図８は本実施例による食器洗い機の全体構成を示す概略側面断面図であり、図７は洗浄庫を筐体に収納した状態、図８は洗浄庫を筐体から引き出した状態を示している。また、図９は本実施例の食器洗い機の要部の電気系構成図、図１０は本実施例の食器洗い機におけるドア開閉に関する制御フローチャートである。なお、上記第１実施例による食器洗い機と同一又は相当する構成には同一符号を付して説明を省略する。
【００３５】
この第４実施例による食器洗い機では、上蓋１０の上面とこれに対面する筐体１の上壁１ａの下面との間には、引張コイルばね３２が設けられ、これにより上蓋１０は略垂直上方向に付勢されている。また、筐体１の上壁１ａの下面には垂直下方を指向して案内棒３３が突設され、一方、上蓋１０の上面には案内棒３３が遊嵌する案内筒部３４が突設されている。案内棒３３は案内筒部３４内を上下方向に移動可能であって、これにより上蓋１０の前後及び左右方向の移動が規制されている。案内棒３３の外径は案内筒部３４の内径よりも所定の余裕をもって小さく形成されており、上蓋１０は或る程度前後左右方向へも移動が可能であるため、上蓋１０が前後又は左右に横振れしても支障なく上下動する。
【００３６】
上蓋１０の側面前部には第１ワイヤ３５ａの一端が固着され、筐体１の側壁内側に設けられた案内部３７ａを介して垂下され、滑車３６ａにより水平後方に向きを変えて連結部３８に他端が固着されている。上蓋１０の側面後部に一端が固着された第２ワイヤ３５ｂも同様に、筐体１の側壁内側に設けられた案内部３７ｂを介して垂下され、滑車３６ｂにより水平後方に向きを変えて連結部３８に他端が固着される。連結部３８はトルクモータ３９の駆動力によって水平方向に所定距離だけ往復動する。また、筐体１の前上部にはドアロック装置として進退自在のロッドを備えるソレノイド４０が設けられ、ドア４の上部には上記ソレノイド４０のロッドを受容するロック穴４１が開口し、その下方にはロッドにより押圧される操作子を有するスイッチ４２が配置されている。
【００３７】
図９に示すように、制御の中心にはマイクロコンピュータを含む制御部１００が据えられ、ロック検知スイッチ４２の検知信号のほか、スタートキー１０３や停止キー１０４を含む各種操作キーを備えた操作部１０２からのキー入力信号が入力される。このような各種信号を受けて制御部１００は、所定の制御プログラムを実行することにより、負荷駆動部１０１を介して上記トルクモータ３９やソレノイド４０のほか、洗浄兼排水ポンプ８による洗浄ポンプ８ａ、排水ポンプ８ｂ、ブロアモータ１０６、給水バルブ１０７等の動作を制御するとともに、表示部１０５の表示やブザー１０８の鳴動などを制御している。
【００３８】
次に、本実施例における食器洗い機の動作を図１０により説明する。使用者によってスタートキー１０３がオンされると（ステップＳ１で「Ｙ」）、制御部１００はドアロック動作としてソレノイド４０を駆動し、そのロッドを進出させる（ステップＳ２）。洗浄庫２が筐体１内に完全に収納されている場合には、図７に示すようにロッドはロック穴４１に挿入されてロック検知スイッチ４２の操作子を押圧する。制御部１００はこれによってドア４がロックされたことを検知し（ステップＳ３で「Ｙ」）、トルクモータ３９を作動させる（ステップＳ４）。すると、連結部３８を介して第１、第２ワイヤ３５ａ、３５ｂが牽引され、上蓋１０は引張コイルばね３２の付勢力に抗して降下し、洗浄庫２の上面開口３を閉
塞する。そのあと制御部１００は洗浄ポンプ８ａ等を制御して、洗浄運転を実行する（ステップＳ５）。
【００３９】
上記ステップＳ３でドアロックが検知されない場合、洗浄庫２が筐体１内に完全に収納されていない可能性がある。そこで、ドアロック解除動作としてソレノイド４０のロッドを後退させ（ステップＳ１１）、ブザー１０８の鳴動や表示部１０５に所定の表示を行いドア開閉異常を報知する（ステップＳ１２）。
【００４０】
洗浄運転中に停止キー１０４がオンされると（ステップＳ６で「Ｙ」）、運転を停止し（ステップＳ８）、トルクモータ３９をオフして連結部３８の牽引を解除する（ステップＳ９）。すると、引張コイルばね３２の付勢力によって上蓋１０は上昇し、洗浄庫２の上面開口３は開放された状態となる。確実に上蓋１０が上昇した状態で洗浄庫２の引き出し動作が為されるようにするために、トルクモータ３９をオフしたあと、所定時間ここでは５秒間待機し（ステップＳ１０）、その後にドアロック解除動作としてソレノイド４０のロッドを後退させ（ステップＳ１１）、使用者が洗浄庫２を引出し可能な状態とする。洗浄運転中に停止キー１０４がオンされないときには（ステップＳ６で「Ｎ」）、運転が終了するまで洗浄運転動作を繰り返し（ステップ７、Ｓ５）、運転が終了したならばステップＳ８へと進む。
【００４１】
このようにして、この第４実施例の食器洗い機では、洗浄庫２が筐体１内に完全に収納されたときに上蓋１０を円滑に下降させて洗浄庫２の上面開口３を高い水密性を有して閉塞し、また、引出し動作が行われる際には、それに先立って上蓋１０を円滑に上部空間に持ち上げて洗浄庫１０の引出し動作の妨げとならないようにすることができる。
【００４２】
〔第５実施例〕
次に、第５発明の一実施例である第５実施例による食器洗い機について図面を参照して説明する。図１１及び図１２は本実施例による食器洗い機の全体構成を示す概略側面断面図であり、図１１は洗浄庫を筐体に収納した状態、図１２は洗浄庫を筐体から引き出した状態を示している。なお、上記第１実施例による食器洗い機と同一又は相当する構成には同一符号を付して説明を省略する。
【００４３】
上記第１〜第４実施例はいずれも、洗浄庫２を前方に引き出した際には上蓋１０は垂直又は斜め上方に移動し、上方空間の所定位置に保持されている。これに対し、この第５実施例による食器洗い機では、上蓋６０は筐体１の上壁１ａの下面（又は側壁でもよい）に固定され（つまり移動せず）、洗浄庫２が筐体１内に収納されると、洗浄庫２の上面開口３と上蓋６０とが直接対峙する。このとき上蓋６０と洗浄庫２の上縁部との間の水密性を確保し、且つ洗浄庫２の引出し及び押入れ動作の際には摩擦を小さくするために、本食器洗い機では、両側上縁部にラビリンス構造によるシールを採用している。
【００４４】
図１３は洗浄庫２及び上蓋６０の側上縁部の縦断面図、図１４は図１３中のＡ−Ａ’矢視線における断面図、図１５は上蓋後面の部分図、図１６は洗浄庫後面の部分図である。
【００４５】
図１３に示すように、洗浄庫２の両側壁２ａの上縁部には外側に略水平に延出するフランジ２ｄが形成されており、そのフランジ２ｄの上面及び下面には前後方向に延伸する凹溝２ｄ１が形成されている。一方、上蓋６０の両側縁部には、上記フランジ２ｄを囲繞するように案内部６１を形成し、その案内部６１の内面にはフランジ２ｄの凹溝２ｄ１と僅かな間隙を保って対面するように前後方向に延伸する凸条６１ａが形成されている。フランジ２ｄの凹溝２ｄ１と上蓋６０の凸条６１ａとが互いに遊嵌することによって、両者の間には曲がりくねった迷路状の間隙が形成されている。
【００４６】
但し、案内部６１の凸条６１ａのうちの１箇所のみ、すなわち凹溝２ｄ１と凸条６１ａにより形成される迷路状の間隙の最も外側（洗浄庫２内側と反対側）の位置においては、他の凸条６１ａよりも高く且つ断面円弧状の頂部６１ｂを有しており、これによってその頂部６１ｂと対向するフランジ２ｄの凹溝２ｄ１と僅かに接触している。つまり、洗浄庫２のフランジ２ｄと上蓋６０の案内部６１とはその横断面（図１３）においてはほぼ１点で接触し、実際には前後方向に延伸する１本の直線で接触している。これにより、フランジ２ｄと案内部６１との間の水密性を格段に高めつつ、接触面積が小さいので摩擦も大きくならずにすむ。
【００４７】
両側縁は上述したラビリンス構造によりシールされているが、前縁及び後縁はガスケットによりシールされている。すなわち、図１５に示すように、上蓋６０の前面には案内部６１を含めてその上縁に弾性部材によるガスケット６１ｃを取り付けている。一方、図１６に示すように、洗浄庫２の後壁２ｆの後面には両側のフランジ２ｄに差し渡してガスケット２ｅを取り付けている。これにより、洗浄庫２を筐体１内に収納した場合には、図１４に示すように、後方側ではガスケット２ｅにより洗浄庫２の後壁２ｆ（及びフランジ２ｄの後壁）と上蓋６０の後面（及び案内部６１の後面６１ｄ）との間の水密性が確保され、前方側ではガスケット６１ｃにより洗浄庫２の前壁２ｃと上蓋６０の前縁部との間の水密性が確保されている。
【００４８】
このようにして、洗浄庫２が完全に筐体１内に収納された状態では上蓋６０は洗浄庫２の上面開口３を高い水密性を有して閉塞し、洗浄庫２の円滑な引出し及び押入れ動作も達成される。
【００４９】
なお、図１３に示したラビリンス構造は一例であって、洗浄運転時にノズルから噴射される水の圧力が相対的に低いような場合には、より簡易的なラビリンス構造を採用してもよい。図１７はラビリンス構造の変形例であって、フランジ２ｄの上面に形成された凹溝２ｄ１と上蓋６０の案内部６１の下面に形成された凸条６１ａとの間の凹凸の遊嵌のみによって迷路状の間隙が形成されている。また、ここではフランジ２ｄ側に頂部２ｄ２を設け、上蓋６０側に１点で接触するように構成している。このような構造では、ノズルから噴射された水が上蓋６０の下面に当たると上蓋６０を持ち上げるように作用し、ラビリンス構造の水密性には不利であるが、水圧があまり高くない場合にはこの程度の構造で充分使用に耐え得る。
【００５０】
〔第６実施例〕
次に、第６発明の一実施例である第６実施例による食器洗い機について図面を参照して説明する。図１８は本実施例による食器洗い機の要部の構成を示す概略図である。この実施例の食器洗い機では、第５実施例による食器洗い機のように、上蓋６０の位置を固定し、洗浄庫２が筐体１内に収納されたときに洗浄庫２の上面開口３と上蓋６０とが対峙する構成を採るが、洗浄庫２の上縁部と上蓋６０との間の間隙を塞ぐシールの方法が第５実施例とは相違する。
【００５１】
この第６実施例の食器洗い機では、洗浄庫２の上縁部に凹溝２ｇを形成し、その凹溝２ｇの中に、中空で且つ通水管７１が連結された、弾性部材から成るガスケット７０を設けている。通水管７１は洗浄兼排水ポンプ８の洗浄ポンプ室８１に連通している。一方、上蓋６０の下面には凹溝２ｇに対向して凸条６０ｂが形成されていて、洗浄庫２が筐体１内に収納された状態ではその凸条６０ｂと凹溝２ｇとの間隙は比較的狭くなっているものの、水密性が確保できるほどの狭さではなく、換言すれば円滑に洗浄庫２のスライド移動が可能になっている。
【００５２】
洗浄庫２が筐体１内に収納されたあと、洗浄運転が開始されて洗浄兼排水ポンプ８が洗浄ポンプとして作動すると、洗浄ポンプ室８１からアーム６へと送出される水の一部が通水管７１を通ってガスケット７０内に流入する。すると、ガスケット７０は徐々に膨張し、凸条６０ｂと凹溝２ｇとの間の間隙がなくなり、高い水密性が発揮される。こうした高い水密性は洗浄ポンプが動作している間、常に継続するから、アーム６から噴射された水がこの境界に当たっても庫外へは漏出しない。洗浄兼排水ポンプ８において洗浄ポンプとしての動作が停止されると、ガスケット７０から水が抜けて凸条６０ｂと凹溝２ｇとの間に間隙が生じ、洗浄庫２はこのガスケット７０の妨げを受けることなく円滑に前へ引出し可能となる。
【００５３】
このようにして、この第６実施例による食器洗い機では、洗浄庫２の出し入れに連動してではなく、洗浄ポンプの動作に応じて上蓋６０が洗浄庫２の上面開口３を高い水密性を有して閉塞する。
【００５４】
ところで、上記第１実施例（第２〜第４実施例でも同様）による食器洗い機では、上蓋１０の下面周縁部にガスケット１０ａが設けられており、上蓋１０が洗浄庫２の上面開口３を閉塞する際に、ガスケット１０ａが洗浄庫２の上縁部との間に挟まれて押し潰れることによって高い水密性を達成している。しかしながら、この構成を次のように変形することによって、両者の間の水密性を一段と向上させることができる。
【００５５】
図１９はこの変形例による食器洗い機における洗浄庫２上縁部と上蓋１０との断面斜視図である。図１９（ａ）に示すように、洗浄庫２の上縁部には凹溝２ｈが形成されており、凹溝２ｈ内には断面円筒形状又は楕円筒形状のガスケット７２が凹溝２ｈから突出しないように配設されている。一方、上蓋１０の下面には凹溝２ｈに対向して凸条１０ｂが形成されている。例えば第１実施例の食器洗い機のように、洗浄庫２が筐体１内に押し入れられるに伴って上蓋１０が下降すると、凸条１０ｂが凹溝２ｈに嵌挿されてガスケット７２を押圧する。図１９（ｂ）に示すようにガスケット７２は押し潰されるが、ガスケット７２は変形しても凹溝２ｈからはみ出さないので、その弾性力によって凸条１０ｂと凹溝２ｈとの間では高い水密性が達成されるとともに、ガスケット７２が凹溝２ｈに収納されているためガスケット７２の保護にも有利である。
【００５６】
このようなシールの構成を上記実施例の如き食器洗い機に適用することにより、上蓋が洗浄庫の上面開口を閉塞する際の両者の密着性を一段と高め、庫外への水漏れをより確実に防止することができる。
【００５７】
なお、上記実施例は単に一例であって、本発明の趣旨の範囲で適宜変更や修正を行えることは明らかである。
【図面の簡単な説明】
【００５８】
【図１】第１発明の一実施例（第１実施例）による食器洗い機において洗浄庫を筐体に収納した状態での側面略断面図。
【図２】第１実施例による食器洗い機において洗浄庫を筐体から引き出した状態での側面略断面図。
【図３】第２発明の一実施例（第２実施例）による食器洗い機において洗浄庫を筐体に収納した状態での側面略断面図。
【図４】第２実施例による食器洗い機において洗浄庫を筐体から引き出した状態での側面略断面図。
【図５】第３発明の一実施例（第３実施例）による食器洗い機において洗浄庫を筐体に収納した状態での側面略断面図。
【図６】第３実施例による食器洗い機において洗浄庫を筐体から引き出した状態での側面略断面図。
【図７】第４発明の一実施例（第４実施例）による食器洗い機において洗浄庫を筐体に収納した状態での側面略断面図。
【図８】第４実施例による食器洗い機において洗浄庫を筐体から引き出した状態での側面略断面図。
【図９】第４実施例による食器洗い機における要部の電気系構成図。
【図１０】第４実施例による食器洗い機におけるドア開放動作に関する制御フローチャート。
【図１１】第５発明の一実施例（第５実施例）の食器洗い機において洗浄庫を筐体に収納した状態での側面略断面図。
【図１２】第５実施例による食器洗い機において洗浄庫を筐体から引き出した状態での側面略断面図。
【図１３】第５実施例による食器洗い機において洗浄庫及び上蓋の側上縁部の縦断面図。
【図１４】図１３中のＡ−Ａ’矢視線における断面図。
【図１５】第５実施例による食器洗い機における上蓋後面の部分図。
【図１６】第５実施例による食器洗い機における洗浄庫後面の部分図。
【図１７】第５実施例の変形例による食器洗い機において洗浄庫及び上蓋の側上縁部の縦断面図。
【図１８】第６発明の一実施例（第６実施例）による食器洗い機の要部の構成図。
【図１９】洗浄庫と上蓋との密着性を改善するための一実施例による食器洗い機における要部の断面斜視図。
【符号の説明】
【００５９】
１…筐体
１ａ…上壁
２…洗浄庫
２ａ…側壁
２ｂ…後端リブ
２ｃ…前壁
２ｄ…フランジ
２ｅ、１０ａ、６１ｃ、７０、７２…ガスケット
２ｆ…後壁
２ｇ、２ｈ…凹溝
３…上面開口
４…ドア 
５…レール
７…貯水槽
８…洗浄兼排水ポンプ
１０、６０…上蓋
１０ｂ、６１ａ…凸条
１３、３３…案内棒
１４、３４…案内筒部
１５、２４…ローラ
１６…カム板
１６ａ…案内溝
２３…案内枠
２５…突部
３５ａ、３５ｂ…ワイヤ
３６ａ、３６ｂ…滑車
３７ａ、３７ｂ…案内部
３８…連結部
３９…トルクモータ
４０…ソレノイド
４１…ロック穴
４２…ロック検知用スイッチ
５３…平行リンク
５４、５５…軸
５６…押圧部
５７…被押圧片
６１…案内部
６１ｂ…頂部
７１…通水管
【図１】
2005279290.tif 000003
【図２】
2005279290.tif 000004
【図３】
2005279290.tif 000005
【図４】
2005279290.tif 000006
【図５】
2005279290.tif 000007
【図６】
2005279290.tif 000008
【図７】
2005279290.tif 000009
【図８】
2005279290.tif 000010
【図９】
2005279290.tif 000011
【図１０】
2005279290.tif 000012
【図１１】
2005279290.tif 000013
【図１２】
2005279290.tif 000014
【図１３】
2005279290.tif 000015
【図１４】
2005279290.tif 000016
【図１５】
2005279290.tif 000017
【図１６】
2005279290.tif 000018
【図１７】
2005279290.tif 000019
【図１８】
2005279290.tif 000020
【図１９】
2005279290.tif 000021